(57)【要約】【課題】ＩＭＳに係る輻輳を適切に回避する。【解決手段】本発明に係る局ＵＥは、Ｅ-ＵＴＲＡＮによって送信されたＳＳＡＣ情報を受信するように構成されている受信部１１と、移動局ＵＥが、Ｅ-ＵＴＲＡＮ以外の無線アクセスネットワークに遷移した場合に、かかるＳＳＡＣ情報に基づいて、「ＭＭＴＥＬ-ｖｏｉｃｅ」及び「ＭＭＴＥＬ-ｖｉｄｅｏ」（ＩＭＳによって提供されるサービス）に対する規制処理を行うように構成されている送信部１３とを具備する。【選択図】図４
2015012419.tif 000002
【特許請求の範囲】
【請求項１】
移動局であって、
Ｅ-ＵＴＲＡＮ（Ｅｖｏｌｖｅｄ-Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）によって送信されたＳＳＡＣ（Ｓｅｒｖｉｃｅ  Ｓｐｅｃｉｆｉｃ  Ａｃｃｅｓｓ  Ｃｏｎｔｒｏｌ）情報を受信するように構成されている受信部と、
前記移動局が、Ｅ-ＵＴＲＡＮ以外の無線アクセスネットワークに遷移した場合に、前記ＳＳＡＣ情報に基づいて、ＩＭＳ（ＩＰ  Ｍｕｌｔｉｍｅｄｉａ  Ｓｕｂｓｙｓｔｅｍ）によって提供されるサービスに対する規制処理を行うように構成されている送信部とを具備することを特徴とする移動局。
【請求項２】
前記移動局が、前記Ｅ-ＵＴＲＡＮ以外の無線アクセスネットワークのうち、３ＧＰＰにおいて規定されている無線アクセスネットワーク以外の無線アクセスネットワークに遷移した場合に、前記送信部は、前記ＳＳＡＣ情報に基づいて、前記サービスに対する規制処理を行うように構成されていることを特徴とする請求項１に記載の移動局。
【請求項３】
前記移動局が、前記Ｅ-ＵＴＲＡＮからの指示によって、前記３ＧＰＰにおいて規定されている無線アクセスネットワーク以外の無線アクセスネットワークに遷移した場合に、前記送信部は、前記ＳＳＡＣ情報に基づいて、前記サービスに対する規制処理を行うように構成されていることを特徴とする請求項２に記載の移動局。
【請求項４】
前記送信部は、前記受信部によって前記ＳＳＡＣ情報が受信されてから所定期間が経過するまでの間、該ＳＳＡＣ情報に基づいて、前記サービスに対する規制処理を行うように構成されていることを特徴とする請求項１乃至３のいずれか一項に記載の移動局。
【請求項５】
前記所定期間は、ネットワークから通知されるように構成されていることを特徴とする請求項４に記載の移動局。
【請求項６】
前記所定期間は、前記移動局が別の無線アクセスネットワークに遷移する度にランダムに決定されるように構成されていることを特徴とする請求項４に記載の移動局。
【請求項７】
前記移動局が、ＲＲＣ_Ｃｏｎｎｅｃｔｅｄ状態である場合に、前記送信部は、前記ＳＳＡＣ情報に基づいて、前記サービスに対する規制処理を行うように構成されていることを特徴とする請求項１乃至６のいずれか一項に記載の移動局。
【請求項８】
前記移動局が、ＲＲＣ_Ｉｄｌｅ状態である場合に、前記送信部は、前記ＳＳＡＣ情報に基づいて、前記サービスに対する規制処理を行うように構成されていることを特徴とする請求項１乃至６のいずれか一項に記載の移動局。
【発明の詳細な説明】
【技術分野】
【０００１】
本発明は、移動局に関する。
【背景技術】
【０００２】
３ＧＰＰでは、ＩＭＳ（ＩＰ  Ｍｕｌｔｉｍｅｄｉａ  Ｓｕｂｓｙｓｔｅｍ）によって「ＭＭＴＥＬ-ｖｉｄｅｏ」や「ＭＭＴＥＬ-ｖｏｉｃｅ」と呼ばれるサービスを提供することが規定されている。
【０００３】
また、３ＧＰＰでは、Ｅ-ＵＴＲＡＮ（Ｅｖｏｌｖｅｄ-Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）において「ＭＭＴＥＬ-ｖｉｄｅｏ」や「ＭＭＴＥＬ-ｖｏｉｃｅ」に対する規制処理を行うために、ＳＳＡＣ（Ｓｅｒｖｉｃｅ  Ｓｐｅｃｉｆｉｃ  Ａｃｃｅｓｓ  Ｃｏｎｔｒｏｌ）情報と呼ばれる規制情報が規定されている。
【０００４】
移動局ＵＥは、ＩＭＳアプリケーションレイヤ機能（ＩＭＳアプリケーション）において、ＳＳＡＣ情報を用いて、「ＭＭＴＥＬ-ｖｉｄｅｏ」や「ＭＭＴＥＬ-ｖｏｉｃｅ」に対する規制処理を行うように構成されている。
【先行技術文献】
【非特許文献】
【０００５】
【非特許文献１】３ＧＰＰ  ＴＳ２２.０１１、「Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；  Ｓｅｒｖｉｃｅ  ａｃｃｅｓｓｉｂｉｌｉｔｙ（Ｒｅｌｅａｓｅ  １２）」
【発明の概要】
【発明が解決しようとする課題】
【０００６】
しかしながら、ＳＳＡＣ情報は、Ｅ-ＵＴＲＡＮにおいて通信を行う際にのみ適用されるものであるため、図４に示すように、移動局ＵＥが、Ｅ-ＵＴＲＡＮ以外の無線アクセスネットワーク（ＲＡＴ：Ｒａｄｉｏ  Ａｃｃｅｓｓ  Ｔｅｃｈｎｏｌｏｇｙ）を介して通信を行う際には、ＳＳＡＣを用いた「ＭＭＴＥＬ-ｖｉｄｅｏ」や「ＭＭＴＥＬ-ｖｏｉｃｅ」に対する規制処理を行うことができず、ＩＭＳに係る輻輳を回避することができないという問題点があった。
【０００７】
具体的には、既存の３ＧＰＰで規定されている移動通信システムでは、異なる無線アクセスネットワークに対して同一のＩＭＳを用いることができ、移動局ＵＥは、ＩＭＳアプリケーションの動作によっては、ＳＳＡＣ情報によって「ＭＭＴＥＬ-ｖｉｄｅｏ」や「ＭＭＴＥＬ-ｖｏｉｃｅ」が規制されている場合であっても、他の無線アクセスネットワーク（例えば、ＷｉＦｉや固定ネットワーク）に遷移し、遷移先の無線アクセスネットワークを介して「ＭＭＴＥＬ-ｖｉｄｅｏ」や「ＭＭＴＥＬ-ｖｏｉｃｅ」に対する発呼を行うことができてしまう場合がある。
【０００８】
ここで、他の無線アクセスネットワーク、特に、３ＧＰＰで規定されていない無線アクセスネットワーク（例えば、ＷｉＦｉや固定ネットワーク）では、「ＭＭＴＥＬ-ｖｉｄｅｏ」や「ＭＭＴＥＬ-ｖｏｉｃｅ」に対する規制処理を行うことができない。
【０００９】
その結果、かかる他の無線アクセスネットワークを介したＩＭＳへのシグナリングを抑制することができず、ＩＭＳに係る輻輳を回避することができないという問題点があった。
【００１０】
そこで、本発明は、上述の課題に鑑みてなされたものであり、ＩＭＳに係る輻輳を適切に回避することができる移動局を提供することを目的とする。
【課題を解決するための手段】
【００１１】
本発明の第１の特徴は、移動局であって、Ｅ-ＵＴＲＡＮによって送信されたＳＳＡＣ情報を受信するように構成されている受信部と、前記移動局が、Ｅ-ＵＴＲＡＮ以外の無線アクセスネットワークに遷移した場合に、前記ＳＳＡＣ情報に基づいて、ＩＭＳによって提供されるサービスに対する規制処理を行うように構成されている送信部とを具備することを要旨とする。
【発明の効果】
【００１２】
以上説明したように、本発明によれば、ＩＭＳに係る輻輳を適切に回避することができる移動局を提供することができる。
【図面の簡単な説明】
【００１３】
【図１】本発明の第１の実施形態に係る移動通信システムの全体構成図である。
【図２】本発明の第１の実施形態に係る移動通信システムで用いられる移動局内のＩＭＳアプリケーションレイヤ機能の機能ブロック図である。
【図３】本発明の第１の実施形態に係る移動通信システムで用いられる移動局内のＩＭＳアプリケーションレイヤ機能の動作を示すフローチャートである。
【図４】従来技術について説明するための図である。
【発明を実施するための形態】
【００１４】
（本発明の第１の実施形態に係る移動通信システム）
図１乃至図３を参照して、本発明の第１の実施形態に係る移動通信システムについて説明する。
【００１５】
図１に示すように、本実施形態に係る移動通信システムは、ＩＭＳと、複数の無線アクセスネットワークと、移動局ＵＥとを具備している。
【００１６】
なお、本実施形態では、無線アクセスネットワークとして、ＵＴＲＡＮや、ＧＥＲＡＮ（ＧＳＭ  ＥＤＧＥ  Ｒａｄｉｏ  Ａｃｃｅｓｓ  Ｎｅｔｗｏｒｋ）や、Ｅ-ＵＴＲＡＮや、ＷｉＦｉや、固定ネットワーク等が想定されている。
【００１７】
ここで、ＵＴＲＡＮやＧＥＲＡＮやＥ-ＵＴＲＡＮは、３ＧＰＰで規定されているＲＡＴが用いられている無線アクセスネットワークであり、ＷｉＦｉや固定ネットワークは、３ＧＰＰで規定されていないＲＡＴが用いられている無線アクセスネットワークである。
【００１８】
図１に示すように、本実施形態に係る移動局ＵＥは、複数の無線アクセスネットワーク（例えば、ＵＴＲＡＮやＧＥＲＡＮやＥ-ＵＴＲＡＮやＷｉＦｉや固定ネットワーク等）を介して通信可能な通信機能と、ＩＭＳアプリケーション機能１０とを具備している。
【００１９】
ここで、ＩＭＳアプリケーション機能１０は、「ＭＭＴＥＬ-ｖｉｄｅｏ」や「ＭＭＴＥＬ-ｖｏｉｃｅ」等のＩＭＳを介して提供されるサービスを利用することができる。
【００２０】
図２に示すように、ＩＭＳアプリケーション機能１０は、受信部１１と、記憶部１２と、送信部１３とを具備している。
【００２１】
受信部１１は、上述の通信機能を介して、所定情報を受信するように構成されており、記憶部１２は、受信部１１によって受信された所定情報等を記憶するように構成されており、送信部１３は、上述の通信機能を介して、所定情報を送信するように構成されている。
【００２２】
例えば、受信部１１は、上述の通信機能を介して、Ｅ-ＵＴＲＡＮによって送信されたＳＳＡＣ情報を受信するように構成されており、記憶部１２は、受信部１１によって受信されたＳＳＡＣ情報を記憶するように構成されていてもよい。
【００２３】
一般的には、移動局ＵＥが、Ｅ-ＵＴＲＡＮにおいてＲＲＣ_Ｉｄｌｅ状態又はＲＲＣ_Ｃｏｎｎｅｃｔｅｄ状態である場合に、送信部１３は、記憶部１２によって記憶されているＳＳＡＣ情報に基づいて、「ＭＭＴＥＬ-ｖｏｉｃｅ」及び「ＭＭＴＥＬ-ｖｉｄｅｏ」等のＩＭＳによって提供されるサービスに対する規制処理を行うように構成されている。
【００２４】
これに対して、本実施形態に係る移動通信システムでは、移動局ＵＥが、Ｅ-ＵＴＲＡＮ以外の無線アクセスネットワークにおいてＲＲＣ_Ｉｄｌｅ状態又はＲＲＣ_Ｃｏｎｎｅｃｔｅｄ状態である場合であっても、送信部１３は、記憶部１２によって記憶されているＳＳＡＣ情報に基づいて、「ＭＭＴＥＬ-ｖｏｉｃｅ」及び「ＭＭＴＥＬ-ｖｉｄｅｏ」等のＩＭＳによって提供されるサービスに対する規制処理を行うように構成されている。
【００２５】
具体的には、移動局ＵＥが、Ｅ-ＵＴＲＡＮからＥ-ＵＴＲＡＮ以外の無線アクセスネットワークに遷移した場合であっても、送信部１３は、記憶部１２によって記憶されているＳＳＡＣ情報に基づいて、「ＭＭＴＥＬ-ｖｏｉｃｅ」及び「ＭＭＴＥＬ-ｖｉｄｅｏ」等のＩＭＳによって提供されるサービスに対する規制処理を行うように構成されている。
【００２６】
ここで、移動局ＵＥが、Ｅ-ＵＴＲＡＮ以外の無線アクセスネットワークのうち、３ＧＰＰにおいて規定されている無線アクセスネットワーク以外の無線アクセスネットワーク（例えば、ＷｉＦｉ/固定ネットワーク等）に遷移した場合に、送信部１３は、上述のＳＳＡＣ情報に基づいて、「ＭＭＴＥＬ-ｖｏｉｃｅ」及び「ＭＭＴＥＬ-ｖｉｄｅｏ」等のＩＭＳによって提供されるサービスに対する規制処理を行うように構成されていてもよい。
【００２７】
なお、移動局ＵＥが、Ｅ-ＵＴＲＡＮ以外の無線アクセスネットワークのうち、３ＧＰＰにおいて規定されている無線アクセスネットワーク（ＵＴＲＡＮ/ＧＥＲＡＮ等）に遷移した場合には、記憶部１２によって記憶されているＳＳＡＣ情報をリセットするように構成されていてもよい。
【００２８】
かかる無線アクセスネットワークには、ＡＣＢ（Ａｃｃｅｓｓ  Ｃｌａｓｓ  Ｂａｒｒｉｎｇ）やＤＳＡＣ（Ｄｏｍａｉｎ  Ｓｐｅｃｉｆｉｃ  Ａｃｃｅｓｓ  Ｃｏｎｔｒｏｌ）等の「ＭＭＴＥＬ-ｖｏｉｃｅ」及び「ＭＭＴＥＬ-ｖｉｄｅｏ」等のＩＭＳによって提供されるサービスを規制するための情報が存在するため、移動局ＵＥが、かかる無線アクセスネットワークに遷移した場合には、ＳＳＡＣ情報を用いることなく、ＩＭＳによって提供されるサービスに対する規制処理を行うことができる。
【００２９】
また、移動局ＵＥが、Ｅ-ＵＴＲＡＮからの指示（例えば、「Ｒｅｊｅｃｔ  ｗｉｔｈ  ｒｅｄｉｒｅｃｔｉｏｎ」等）によって、３ＧＰＰにおいて規定されている無線アクセスネットワーク以外の無線アクセスネットワーク（例えば、ＷｉＦｉ/固定ネットワーク等）に遷移した場合に、送信部１３は、上述のＳＳＡＣ情報に基づいて、「ＭＭＴＥＬ-ｖｏｉｃｅ」及び「ＭＭＴＥＬ-ｖｉｄｅｏ」等のＩＭＳによって提供されるサービスに対する規制処理を行うように構成されていてもよい。
【００３０】
さらに、送信部１３は、受信部１１によってＳＳＡＣ情報が受信されてから所定期間が経過するまでの間、かかるＳＳＡＣ情報に基づいて、「ＭＭＴＥＬ-ｖｏｉｃｅ」及び「ＭＭＴＥＬ-ｖｉｄｅｏ」に対する規制処理を行うように構成されていてもよい。
【００３１】
具体的には、送信部１３は、所定期間を管理するタイマを保持しており、かかるタイマが満了するまでの期間、かかるＳＳＡＣ情報に基づいて、「ＭＭＴＥＬ-ｖｏｉｃｅ」及び「ＭＭＴＥＬ-ｖｉｄｅｏ」に対する規制処理を行うように構成されていてもよい。
【００３２】
かかるタイマは、ＳＳＡＣ情報の有効期間を示し、受信部１１によってＳＳＡＣ情報が受信された際に起動されるものであってもよい。
【００３３】
ここで、上述の所定期間（或いは、タイマ値）は、ネットワークから通知されるように構成されていてもよい。
【００３４】
また、上述の所定期間（或いは、タイマ値）は、移動局ＵＥが別の無線アクセスネットワークに遷移する度にランダムに決定されるように構成されていてもよい。
【００３５】
なお、送信部１３は、移動局ＵＥがＥ-ＵＴＲＡＮ以外の無線アクセスネットワークに遷移してから所定期間が経過するまでの間、かかるＳＳＡＣ情報に基づいて、「ＭＭＴＥＬ-ｖｏｉｃｅ」及び「ＭＭＴＥＬ-ｖｉｄｅｏ」に対する規制処理を行うように構成されていてもよい。かかる場合、上述のタイマは、動局ＵＥがＥ-ＵＴＲＡＮ以外の無線アクセスネットワークに遷移した際に起動されるものとする。
【００３６】
以下、図３を参照して、本実施形態に係る移動通信システムの動作について、具体的には、本実施形態に係る移動局ＵＥの動作について説明する。
【００３７】
図３に示すように、ステップＳ１０１において、移動局ＵＥは、Ｅ-ＵＴＲＡＮに在圏している状態で、すなわち、Ｅ-ＵＴＲＡＮにおいてＲＲＣ_Ｉｄｌｅ状態又はＲＲＣ_Ｃｏｎｎｅｃｔｅｄ状態である場合に、Ｅ-ＵＴＲＡＮによって送信されたＳＳＡＣ情報を取得する。
【００３８】
ステップＳ１０２において、移動局ＵＥは、Ｅ-ＵＴＲＡＮ以外の無線アクセスネットワーク（例えば、３ＧＰＰにおいて規定されている無線アクセスネットワーク以外の無線アクセスネットワーク）に遷移する。
【００３９】
その結果、移動局ＵＥは、Ｅ-ＵＴＲＡＮ以外の無線アクセスネットワークにおいてＲＲＣ_Ｉｄｌｅ状態又はＲＲＣ_Ｃｏｎｎｅｃｔｅｄ状態となる。
【００４０】
ステップＳ１０３において、Ｅ-ＵＴＲＡＮ以外の無線アクセスネットワークに在圏している状態で、すなわち、Ｅ-ＵＴＲＡＮ以外の無線アクセスネットワークにおいてＲＲＣ_Ｉｄｌｅ状態又はＲＲＣ_Ｃｏｎｎｅｃｔｅｄ状態である場合に、上述のＳＳＡＣ情報に基づいて、「ＭＭＴＥＬ-ｖｏｉｃｅ」及び「ＭＭＴＥＬ-ｖｉｄｅｏ」等のＩＭＳによって提供されるサービスに対する規制処理を行う。
【００４１】
すなわち、移動局ＵＥは、Ｅ-ＵＴＲＡＮ以外の無線アクセスネットワークにおいてＲＲＣ_Ｉｄｌｅ状態である場合には、上述のＳＳＡＣ情報に基づいて、ＩＭＳに対する「Ｓｅｒｖｉｃｅ  Ｒｅｑｕｅｓｔ」を含む「ＲＲＣ  Ｃｏｎｎｅｃｔｉｏｎ  Ｒｅｑｕｅｓｔ」の送信を規制する。
【００４２】
また、移動局ＵＥは、Ｅ-ＵＴＲＡＮ以外の無線アクセスネットワークにおいてＲＲＣ_Ｃｏｎｎｅｃｔｅｄ状態である場合には、上述のＳＳＡＣ情報に基づいて、ＩＭＳに対するＵ-ｐｌａｎｅデータの送信を規制する。
【００４３】
以上に述べた本実施形態の特徴は、以下のように表現されていてもよい。
【００４４】
本実施形態の第１の特徴は、移動局ＵＥであって、Ｅ-ＵＴＲＡＮによって送信されたＳＳＡＣ情報を受信するように構成されている受信部１１と、移動局ＵＥが、Ｅ-ＵＴＲＡＮ以外の無線アクセスネットワークに遷移した場合に、かかるＳＳＡＣ情報に基づいて、「ＭＭＴＥＬ-ｖｏｉｃｅ」及び「ＭＭＴＥＬ-ｖｉｄｅｏ」等のＩＭＳによって提供されるサービスに対する規制処理を行うように構成されている送信部１３とを具備することを要旨とする。
【００４５】
かかる特徴によれば、移動局ＵＥは、Ｅ-ＵＴＲＡＮ以外の無線アクセスネットワークに遷移した場合であっても、Ｅ-ＵＴＲＡＮによって送信されたＳＳＡＣ情報に基づいて、「ＭＭＴＥＬ-ｖｏｉｃｅ」及び「ＭＭＴＥＬ-ｖｉｄｅｏ」等のＩＭＳによって提供されるサービスに対する規制処理を行うことができる。
【００４６】
本実施形態の第１の特徴において、移動局ＵＥが、Ｅ-ＵＴＲＡＮ以外の無線アクセスネットワークのうち、３ＧＰＰにおいて規定されている無線アクセスネットワーク（例えば、ＵＴＲＡＮ/ＧＥＲＡＮ等）以外の無線アクセスネットワーク（例えば、ＷｉＦｉ/固定ネットワーク等）に遷移した場合に、送信部１３は、上述のＳＳＡＣ情報に基づいて、「ＭＭＴＥＬ-ｖｏｉｃｅ」及び「ＭＭＴＥＬ-ｖｉｄｅｏ」等のＩＭＳによって提供されるサービスに対する規制処理を行うように構成されていてもよい。
【００４７】
かかる特徴によれば、移動局ＵＥは、「ＭＭＴＥＬ-ｖｏｉｃｅ」及び「ＭＭＴＥＬ-ｖｉｄｅｏ」等のＩＭＳによって提供されるサービスに対して規制を行うことができない無線アクセスネットワーク（例えば、ＷｉＦｉ/固定ネットワーク等）に遷移した場合であっても、Ｅ-ＵＴＲＡＮによって送信されたＳＳＡＣ情報に基づいて、かかるサービスに対する規制処理を行うことができる。
【００４８】
一方、ＵＴＲＡＮ/ＧＥＲＡＮ等の無線アクセスネットワークでは、移動局ＵＥは、かかる無線アクセスネットワークによって送信される規制情報に基づいて、「ＭＭＴＥＬ-ｖｏｉｃｅ」及び「ＭＭＴＥＬ-ｖｉｄｅｏ」等のＩＭＳによって提供されるサービスに対する規制処理を行うことで、かかる無線アクセスネットワークを運用する通信事業者の規制ポリシーに従うことができる。
【００４９】
本実施形態の第１の特徴において、移動局ＵＥが、Ｅ-ＵＴＲＡＮからの指示（例えば、「Ｒｅｊｅｃｔ  ｗｉｔｈ  ｒｅｄｉｒｅｃｔｉｏｎ」等）によって、３ＧＰＰにおいて規定されている無線アクセスネットワーク以外の無線アクセスネットワークに遷移した場合に、送信部１３は、上述のＳＳＡＣ情報に基づいて、「ＭＭＴＥＬ-ｖｏｉｃｅ」及び「ＭＭＴＥＬ-ｖｉｄｅｏ」に対する規制処理を行うように構成されていてもよい。
【００５０】
かかる特徴によれば、移動局ＵＥは、Ｅ-ＵＴＲＡＮからの指示で、「ＭＭＴＥＬ-ｖｏｉｃｅ」及び「ＭＭＴＥＬ-ｖｉｄｅｏ」等のＩＭＳによって提供されるサービスに対して規制を行うことができない無線アクセスネットワークに遷移した場合であっても、Ｅ-ＵＴＲＡＮによって送信されたＳＳＡＣ情報に基づいて、かかるサービスに対する規制処理を行うことができる。
【００５１】
本実施形態の第１の特徴において、送信部１３は、受信部１１によってＳＳＡＣ情報が受信されてから所定期間が経過するまでの間、かかるＳＳＡＣ情報に基づいて、「ＭＭＴＥＬ-ｖｏｉｃｅ」及び「ＭＭＴＥＬ-ｖｉｄｅｏ」に対する規制処理を行うように構成されていてもよい。
【００５２】
ここで、移動局ＵＥは、Ｅ-ＵＴＲＡＮにおける規制状況を理解することができない状況であっても、所定期間が経過した後は、上述のＳＳＡＣ情報に基づく規制処理を行わないことで、Ｅ-ＵＴＲＡＮにおける規制が解除された後も半永久的に、かかるＳＳＡＣ情報に基づく規制処理を行い続けてしまうという事態を回避することができる。
【００５３】
本実施形態の第１の特徴において、上述の所定期間は、ネットワークから通知されるように構成されていてもよい。
【００５４】
かかる特徴によれば、通信事業者は、移動局ＵＥが上述のＳＳＡＣ情報に基づく規制処理を行う期間を調整することができる。
【００５５】
本実施形態の第１の特徴において、上述の所定期間は、移動局ＵＥが別の無線アクセスネットワークに遷移する度にランダムに決定されるように構成されていてもよい。
【００５６】
かかる特徴によれば、移動局ＵＥが、自律的に、上述のＳＳＡＣ情報に基づく規制処理を行う期間を調整することができる。
【００５７】
本実施形態の第１の特徴において、移動局ＵＥが、ＲＲＣ_Ｃｏｎｎｅｃｔｅｄ状態である場合に、送信部１３は、上述のＳＳＡＣ情報に基づいて、「ＭＭＴＥＬ-ｖｏｉｃｅ」及び「ＭＭＴＥＬ-ｖｉｄｅｏ」に対する規制処理を行うように構成されていてもよい。
【００５８】
かかる特徴によれば、ＲＲＣ_Ｃｏｎｎｅｃｔｅｄ状態である移動局ＵＥが、Ｅ-ＵＴＲＡＮ以外の無線アクセスネットワークに遷移した場合であっても、Ｅ-ＵＴＲＡＮによって送信されたＳＳＡＣ情報に基づいて、「ＭＭＴＥＬ-ｖｏｉｃｅ」及び「ＭＭＴＥＬ-ｖｉｄｅｏ」等のＩＭＳによって提供されるサービスに対する規制処理を行うことができる。
【００５９】
本実施形態の第１の特徴において、移動局が、ＲＲＣ_Ｉｄｌｅ状態である場合に、送信部１３は、上述のＳＳＡＣ情報に基づいて、「ＭＭＴＥＬ-ｖｏｉｃｅ」及び「ＭＭＴＥＬ-ｖｉｄｅｏ」に対する規制処理を行うように構成されていてもよい。
【００６０】
かかる特徴によれば、ＲＲＣ_Ｉｄｌｅ状態である移動局ＵＥが、Ｅ-ＵＴＲＡＮ以外の無線アクセスネットワークに遷移した場合であっても、Ｅ-ＵＴＲＡＮによって送信されたＳＳＡＣ情報に基づいて、「ＭＭＴＥＬ-ｖｏｉｃｅ」及び「ＭＭＴＥＬ-ｖｉｄｅｏ」等のＩＭＳによって提供されるサービスに対する規制処理を行うことができる。
【００６１】
なお、上述の移動局ＵＥの動作は、ハードウェアによって実施されてもよいし、プロセッサによって実行されるソフトウェアモジュールによって実施されてもよいし、両者の組み合わせによって実施されてもよい。
【００６２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ内に設けられていてもよい。また、かかる記憶媒体及びプロセッサは、ディスクリートコンポーネントとして移動局ＵＥ内に設けられていてもよい。
【００６４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６５】
ＵＥ…移動局
１０…ＩＭＳアプリケーションレイヤ機能
１１…受信部
１２…記憶部
１３…送信部
【図１】
2015012419.tif 000003
【図２】
2015012419.tif 000004
【図３】
2015012419.tif 000005
【図４】
2015012419.tif 000006